(57)【要約】【課題】搬送用パレットであって、該パレットに他の機能を設けることにより、物流関係の場所で、より便利に活用できる搬送用パレットを開発・提供するものである。【解決手段】  合成樹脂製のパレット（１）であって、該パレットの底面部にキャスター（２）を装着した搬送用のパレットにおいて、該パレットの平面部（Ｘ）、または側面部（Ｙ）に、ハンドル用の穴（３）を設け、該穴にハンドル（４）を装着したことを特徴とする搬送用パレットから構成され、また、該パレットの側面部（Ｙ）にストッパー用切り欠き部（５）を設け、該切り欠き部にストッパー（６）を装着したことを特徴とする搬送用パレットである。【選択図】  図１
2016113182.tif 000002
【特許請求の範囲】
【請求項１】
合成樹脂製のパレットであって、
該パレットの底面部にキャスターを装着した搬送用のパレットにおいて、
該パレットの平面部、または側面部に、ハンドル用の穴を設け、
該穴にハンドルを装着したこと
を特徴とする搬送用パレット。
【請求項２】
合成樹脂製のパレットであって、
該パレットの底面部にキャスターを装着した搬送用のパレットにおいて、
該パレットの側面部にストッパー用切り欠き部を設け、
該切り欠き部にストッパーを装着したこと
を特徴とする搬送用パレット。
【請求項３】
前記ハンドル用の穴が、前記パレットの周側面に設けた
挿入用サポートに形成されている
ことを特徴とする請求項１記載の搬送用パレット。
【請求項４】
前記ハンドル用の穴が、前記パレットの周側面に設けられ、
前記ハンドルの下端部に折り曲げ部を設け、
該ハンドルの折り曲げ部を前記穴に装着する
ことを特徴とする請求項１記載の搬送用パレット。
【請求項５】
前記ハンドルが、該下端部に分岐部を設けられ、
該分岐部を前記パレットの平面部に設けた穴に挿入し、
該ハンドルの下端部をパレットの側面部に位置させる
ことを特徴とする請求項１記載の搬送用パレット。
【請求項６】
前記ハンドルが、該下端部に設けた係止部を設けられ、
前記パレットの平面縁部の一部に、ハンドル用切り欠き部を設け、
該切り欠き部に、前記係止部に差し込み係止しする
ことを特徴とする請求項１記載の搬送用パレット。
【発明の詳細な説明】
【技術分野】
【０００１】
この発明は、搬送用パレットに関するものであり、特に、合成樹脂製の搬送パレットに関するものである。
【背景技術】
【０００２】
従来、搬送用パレットは、主に物流関係の荷物運搬用に使用するものであり、該パレットの側面部に、少なくともフォークリフトの腕（リフト）を差し込む穴が一対形成されており、該パレットに搭載した荷物をパレットごとフォークリフトで搬送するものである。
【０００３】
また、空のパレットには複数枚積層してもフォークリフトを用いて移動しており、本願出願人はパレットの底部にキャスターを設けたキャスター付きパレットを開発し、移動の際フォークリフトを使用しなくても運搬・移動できるようにしている。例えば、特許文献１及び特許文献２のように。
【先行技術文献】
【特許文献】
【０００４】
【特許文献１】特許第５１８８３３５号公報
【特許文献２】特許第５２６１０７５号公報
【０００５】
しかし、このキャスター付きパレットは、荷物や空のパレットを複数段積層して運搬・移動する場合には、該パレットの側面に牽引用のベルトを固定し、このベルトを引っ張ることにより行なっていた。
【０００６】
しかしながら、該パレットに前記ベルトを装着・脱する場合には、作業員が身を屈めて行ない、しかも、一本のベルトを引きながら正確に目的の移動場所に移動する作業は極めて煩雑であるという欠点が生じている。
【発明の概要】
【発明が解決しようとする課題】
【０００７】
そこでこの発明は、合成樹脂製の搬送用パレットであって、該パレットに他の機能を設けることにより、物流関係の場所でより便利に活用できる搬送用パレットを開発・提供するものである。
【課題を解決するための手段】
【０００８】
この発明の第１の観点に係る搬送用パレットは、
合成樹脂製のパレットであって、
該パレットの底面部にキャスターを装着した搬送用のパレットにおいて、
該パレットの平面部、または側面部に、ハンドル用の穴を設け、
該穴にハンドルを装着したこと
を特徴とする。
【０００９】
この発明の第２の観点に係る搬送用パレットは、
合成樹脂製のパレットであって、
該パレットの底面部にキャスターを装着した搬送用のパレットにおいて、
該パレットの側面部にストッパー用切り欠き部を設け、
該切り欠き部にストッパーを装着したこと
を特徴とする。
【００１０】
また、
前記ハンドル用の穴が、前記パレットの周側面に設けた
挿入用サポートに形成されている
ことを特徴とする。
【００１１】
前記ハンドル用の穴が、前記パレットの周側面に設けられ、
前記ハンドルの下端部に折り曲げ部を設け、
該ハンドルの折り曲げ部を前記穴に装着する
ことを特徴とする。
【００１２】
また、
前記ハンドルが、該下端部に分岐部を設けられ、
該分岐部を前記パレットの平面部に設けた穴に挿入し、
該ハンドルの下端部をパレットの側面部に位置させる
ことを特徴とする。
【００１３】
また、
前記ハンドルが、該下端部に設けた係止部を設けられ、
前記パレットの平面縁部の一部に、ハンドル用切り欠き部を設け、
該切り欠き部に、前記係止部に差し込み係止しする
ことを特徴とする。
【発明の効果】
【００１４】
この発明にによると、搬送用パレットの底面部にキャスターを装着した合成樹脂製パレットに、ハンドルを着脱可能に設けることにより、荷物や複数段に積層したパレットを、フォークリフトを用いることなく移動することが出来、極めて省エネ効果を奏するものである。
【００１５】
また、この発明によると、パレットの平面部または側面部にハンドル用の穴を設け、該穴に横幅の長いハンドルを装着することにより、搬送時にパレットの走行を制御し易く、かつ、押し易くなる等の効果を奏する。
【００１６】
さらに、この発明に搬送用パレットによると、パレットの側面に切り欠き部を設け、該切り欠き部にストッパーを設けることにより、該パレットを一時、移動不能に固定するため、作業が安全に行なえる等の効果を奏する。
【００１７】
また、ハンドルを差し込む挿入用サポートを、パレットの周側面の外部に設けたことにより、パレットの全面が使用できるという効果を有する。
【００１８】
さらに、ハンドルの下端部を折り曲げることにより、ハンドルをパレットの周側面に差し込むことにより、パレットの全面が使用できるという効果を有する。
【００１９】
また、ハンドルの下端部を分岐を設けることにより、これら分岐した下端部をパレットの縁部の内・外に差し込むことにより、ハンドルを簡単にセットすることができるという効果を有する。
【図面の簡単な説明】
【００２０】
【図１】この発明の一実施例を示し、（Ａ）は一部欠截斜視図である。（Ｂ）はハンドルの斜視図である。
【図２】この発明の一実施例を示し、（Ａ）は取付状態を示す一部欠截斜視図である。（Ｂ）は、図２（Ａ）中（ａ）の一部拡大欠截斜視図である。
【図３】この発明の他の実施例を示す斜視図である。
【図４】この発明のさらに他の実施例を示す斜視図である。
【図５】この発明のさらに、別の実施例を示す斜視図である。
【図６】この発明のさらに、さらに別の実施例を示し、（Ａ）は斜視図、（Ｂ）は〔図６〕中ａ，ｂ部分の拡大斜視図、（Ｃ）は、拡大断面図である。
【発明を実施するための形態】
【００２１】
以下、この発明の好適な実施の形態について詳細に説明する。この発明においては、以下の記述に限定されるものではなく、この発明の要旨を逸脱しない範囲においては適宜変更可能である。
【実施例】
【００２２】
次に、この発明の一実施例を図面に基づいて詳述すると、合成樹脂製の搬送用パレット（１）であって、該パレットの底面部にキャスター（２）を装着した搬送用のパレットにおいて、該パレット（１）の平面部（Ｘ）または側面部（Ｙ）に、ハンドル用の穴（３）を設け、該穴にハンドル（４）を装着したことを特徴とする搬送用パレットから構成される。
【００２３】
なお、前記ハンドル用の穴（３）は２ケ所設け、また、ハンドル（４）は、全体の形状が「コ」字状のフレーム体であって、両端部を前記ハンドル用の穴（３）に差し込んで使用するものである。
【００２４】
また、この発明は、合成樹脂製の搬送用パレット（１）であって、該パレットの底面部にキャスター（２）を装着した搬送用のパレットにおいて、該パレット（１）の側面部（Ｙ）に切り欠き部を設け、該切り欠き部であるストッパ用切り欠き部（５）にストッパー（６）を、図２（Ａ）（Ｂ）に示すように、大プレート（６ａ）で固定し、該大型プレートの両端部はパレット（１）下部に設けた左右の小プレート（６ｂ）でビスにより固定・装着したことを特徴とする搬送用パレットから構成される。尚、ストッパー（６）の固定手段は限定されない。
【００２５】
そして、図３に示すように、前記穴（３）が、前記パレット（１）の側面部（Ｙ）より外部に設けた挿入用サポート（７）に形成した下端を閉塞したパイプであることを特徴とする搬送用パレットから構成される。
【００２６】
さらに、図４に示すように、前記穴（３）が、前記パレットの側面部（Ｙ）に設け、前記ハンドル（４）の下端部を折り曲げ部（８）を設け、該ハンドル（４）の折り曲げ部（８）を前記穴（３）に装着することを特徴とする搬送用パレットから構成されるものである。
【００２７】
さらにまた、図５に示すように、前記ハンドル（４）が、該下端部に分岐部（９）を設け、該分岐部（９）を前記パレット（１）の平面部（Ｘ）に設けた穴（３）に挿入し、該ハンドル（４）の下端部をパレット（１）の側面部（Ｙ）に係止させることを特徴とする搬送用パレットから構成されるものである。
【００２８】
尚、上記の合成樹脂製の搬送用パレット（１）は、既存のパレット（１）を利用してもよく、また、新規な上記構造のパレットを製造してもよいものである。
【００２９】
そして、さらに、図６に示すように、合成樹脂製の搬送用パレット（１）の側面部（Ｙ）の一部を切り欠いてハンドル用切り欠き部（５ａ）を設け、該切り欠き部にハンドル（４）の下端部にそれぞれ設けた係止部（10）を、係止して固定するよう構成したものである。
【００３０】
合成樹脂製の搬送用パレット（１）の一例の平面寸法（縦・横寸法とも）は、１，１００ｃｍであり、ハンドル用の穴（３）を設けることにより、縦・横のいずれか一方は、１０６０ｃｍとなるものである。
【００３１】
また、穴（２）を設ける方法は、ＮＣ加工（数値制御工作機械において、工作物に対する工具の位置を、それに対応する数値情報で指令する制御方法）して行なうものである。
【００３２】
さらに、ハンドル（３）の一実施例としては図１（Ｂ）に示すように、横長の矩形状であり、パイプ材を用いて、その形状は、９０度倒した「日」の字状に形成され、下部両端は、下方に突出して設け、この両端の突出部分をパレットの（３）に差し込み固定するものである。水平部のパイプの両端付近を握って移動させれば、パレットを目的とおり走行・移動させることができるものである。しかし、ハンドル（３）はこの形状に限定されるものではない。
【産業上の利用可能性】
【００３３】
この発明の搬送用パレットの技術を確立し、実施することにより産業上利用可能性があるものである。
【符号の説明】
【００３４】
１  搬送用パレット
２  キャスター
３  ハンドル用の穴
４  ハンドル
５  ストッパー用切り欠き部
５ａ  ハンドル用切り欠き部
６  ストッパー
６ａ  大プレート
６ｂ  小プレート
７  挿入用サポート
８  折り曲げ部
９  分岐部
10  係止部
Ｘ  パレットの平面部
Ｙ  パレットの側面部
【図１】
2016113182.tif 000003
【図２】
2016113182.tif 000004
【図３】
2016113182.tif 000005
【図４】
2016113182.tif 000006
【図５】
2016113182.tif 000007
【図６】
2016113182.tif 000008